(57)【特許請求の範囲】
【請求項１】
着座者の身体を支持する支持面を構成する張材と、左右両側に対をなす板状の縦枠を備えており前記張材の左右の側縁をこの縦枠の側端面に形成した凹溝に嵌め入れることにより前記張材が前記縦枠間に架設されるフレームと、前記張材と前記フレームの板面との間に介在し流体の流出入を受けて収縮及び拡大可能な袋体で、これら張材とフレームとを離反させることで張材に作用する張力を増大させる張力調整機構とを具備することを特徴とする椅子の背凭れ又は座。
【請求項２】
前記袋体が、内部に空気等の気体を充満させてなるとともに着座者からの荷重を受けて変形可能なエアバッグであることを特徴とする請求項１記載の椅子の背凭れ又は座。
【請求項３】
前記エアバッグと、座に配置してなり着座者からの荷重を受ける座エアバッグとを、これらの内部の圧力が等しくなるようにすべく連通手段により連通していることを特徴とする請求項２記載の椅子の背凭れ又は座。
【請求項４】
前記エアバッグに、該エアバッグ内に気体を供給する逆止弁付きのポンプを接続していることを特徴とする請求項２又は３記載の椅子の背凭れ又は座。
【請求項５】
前記袋体を、前記張材及び前記フレームに接触させていることを特徴とする請求項１、２、３又は４記載の椅子の背凭れ又は座。
【請求項６】
メッシュ加工を施した布地を利用して前記張材を構成していることを特徴とする請求項１、２、３、４又は５記載の椅子の背凭れ又は座。
【発明の詳細な説明】
【技術分野】
【０００１】
本発明は、着座者の身体を支持する支持面を構成する張材と、前記張材が架設されるフレームとを具備する椅子の背凭れ又は座に関する。
【背景技術】
【０００２】
従来、着座者の身体を支持する支持面を構成する張材と、前記張材が架設されるフレームとを具備する椅子において、フレームに張材を架設するための構成として、フレームの周端面に凹溝を形成し、凹溝に張材の縁端を嵌め入れて係止する構成が考えられる（例えば、特許文献１を参照）。
【特許文献１】特願２００６−０１１７２７号明細書
【発明の開示】
【発明が解決しようとする課題】
【０００３】
このような構成を有する椅子において、張材の張力を調整可能にすべく、例えば、張材をフレームに巻き回すようにしているとともにフレーム側に設けたつまみにより巻き回し長を変更可能にする態様や、張材とフレームとの間に所定の厚さ寸法を有する張力増強部材を着脱可能に介在させる態様が考えられる。
【０００４】
しかし、前者の構成では、フレームに着座者からの荷重を支持可能な剛性を与えつつ張材の巻き回し長を変更可能に巻き回すための機構をフレーム内部に設ける必要があるので、フレームの構成が複雑なものとなる不具合が発生する。
【０００５】
一方、後者の構成では、張力増強部材の厚さ寸法が一定であるので、張材に作用する張力の増大幅を変更させるためには、一旦張力増強部材を取り外して厚さ寸法が異なる張力増強部材を新たに装着する手間がかかる不具合が発生する。
【０００６】
本発明は、以上に述べた課題を解決すべく構成するものである。
【課題を解決するための手段】
【０００７】
すなわち、本発明に係る椅子の背凭れ又は座は、着座者の身体を支持する支持面を構成する張材と、左右両側に対をなす板状の縦枠を備えており前記張材の左右の側縁をこの縦枠の側端面に形成した凹溝に嵌め入れることにより前記張材が前記縦枠間に架設されるフレームと、前記張材と前記フレームの板面との間に介在し流体の流出入を受けて収縮及び拡大可能な袋体で、これら張材とフレームとを離反させることで張材に作用する張力を増大させる張力調整機構とを具備することを特徴とする。
【０００８】
このようなものであれば、張力調整機構による張材とフレームとの間の離反幅を変更することにより、張材の張力を簡単な操作によりきめ細かく調整するようにすることができる。なお、本発明において、「張材と前記フレームとの間に介在」とは、張材とフレームとの間に介在させる態様のみならず、張材の端縁に張材取付具を設けてこの張材取付具をフレームに取り付ける態様においてこの張材取付具とフレームとの間に介在させる態様も含む概念である。また、「張材とフレームとを離反させる」とは、張材とフレームとの間の距離を大きくするだけでなく、前記張材取付具の所定部位とフレームの所定部位との間の距離を大きくする態様も含む概念である。
【０００９】
また、前記張力調整機構が、流体の流出入を受けて収縮及び拡大可能な袋体であるので、袋体内の流体の量を調整することにより、張材とフレームとの間の離反幅を自由に変更でき、このような張力調整機構を簡単な構成で実現することができる。
【００１０】
特に、前記袋体が、内部に空気等の気体を充満させてなるとともに着座者からの荷重を受けて変形可能なエアバッグであれば、張材だけでなく着座者から荷重を受けることによるこのエアバッグ自体の膨縮によっても着座者にクッション感を与えることができる。
【００１１】
このような背凭れの張力を、着座者の体重に応じた適切なものにするための構成として、前記エアバッグと、座に配置してなり着座者からの荷重を受ける座エアバッグとを、これらの内部の圧力が等しくなるようにすべく連通手段により連通しているものが挙げられる。
【００１２】
また、このような背凭れの張力を、着座者の好みに応じて調整できるようにするための構成として、前記エアバッグに、該エアバッグ内に気体を供給する逆止弁付きのポンプを接続しているものが挙げられる。
【００１３】
このような椅子の背凭れの外観を損ねることなくこのような袋体を無理なく配置するための態様として、前記張材の端部を前記フレームの両側部に設けた凹溝に係止させることにより架設してなるものであって、前記袋体を、前記張材及び前記フレームに接触させているものが挙げられる。
【００１４】
このような椅子の背凭れの張材に伸縮性を付与するための構成の一例として、メッシュ加工を施した布地を利用して前記張材を構成しているものが挙げられる。
【発明の効果】
【００１５】
本発明に係る椅子の背凭れ又は座の構成によれば、着座者の身体を支持する支持面を構成する張材と、前記張材が架設されるフレームと、前記張材と前記フレームとの間に介在し、これら張材とフレームとを離反させることで張材に作用する張力を増大させる張力調整機構とを具備するので、張力調整機構による張材とフレームとの間の離反幅を変更することにより、張材の張力をきめ細かく調整するようにすることができる。
【発明を実施するための最良の形態】
【００１６】
以下、本発明の一実施形態を、図面を参照して説明する。
【００１７】
本実施形態の椅子Ｃは、図１ないし図３に示すように、脚体４と、脚体４に支持させた基体２と、基体２上に配設した座３と、水平支軸１６を介して基体２に枢着した背凭れ１とを具備する。
【００１８】
詳述すると、脚体４は、複数個のキャスターを装着している脚羽根４１と、脚羽根４１の中央より略垂直に立ち上がる脚支柱４２とを備えており、脚羽根４１と脚支柱４２との間に介設したガススプリング（図示せず）の伸縮により脚支柱４２を上下に突没させ得る。
【００１９】
基体２は脚支柱４２の上端に固定してあって、脚支柱４２の突没操作を通じて座３及び背凭れ１の高さ位置を調節することができる。基体２には、水平支軸１６回りに回動する背凭れ１を前方へ付勢する弾性付勢機構（図示せず）、背凭れ１のロッキング角度を固定する固定機構（図示せず）等を内蔵している。弾性付勢機構は、コイルスプリングやガススプリングを実装して背フレーム１１を弾性付勢するものである。
【００２０】
座３は、座受３１に座面を形成するクッション体３２を装着してなる。座３の前端部は、基体２に対し前後方向にスライド移動可能に支持させており、座３の後端部は、下記背フレーム１１における下フレーム部１３にヒンジ（図示せず）を介して取着している。そして、この座３の内部には、着座者からの荷重を受ける座エアバッグ３３を設けている。
【００２１】
背凭れ１は、背フレーム１１の前面に背凭れ面Ｓを形成する張り部材１２を張り設けたものである。背フレーム１１は、基体２に対し水平支軸１６回りに回動可能に連結している下フレーム部１３と、下フレーム部１３の上端にヒンジ１７を介して連結している上フレーム部１４と、上フレーム部１４を後方より支持する反力フレーム部１５とを備えている。この背凭れの分解斜視図を図４に示す。
【００２２】
下フレーム部１３は、幅方向に離間させて配置した左右の下フレーム要素１３１ａ、１３１ｂ同士を、剛性横架材１３２を以て相互に連結してなる。下フレーム要素１３１ａ、１３１ｂ、剛性横架材１３２はともに、例えば金属製の剛体である。下フレーム要素１３１ａ、１３１ｂは、側面視水平支軸１６の位置する前端から後方に延伸し、後端で上方に屈曲した略Ｌ字型をなす。
【００２３】
上フレーム部１４は、幅方向に離間させて配置した左右の上フレーム要素１４１ａ、１４１ｂ同士を、弾性横架材１４２を以て相互に連結してなる。上フレーム要素１４１ａ、１４１ｂは例えば金属製の剛体であるが、弾性横架材１４２は例えば樹脂製の弾性体である。上フレーム要素１４１ａ、１４１ｂは、側面視ヒンジ１７の位置する下端から、幾分後方に凹むように緩やかに湾曲しつつ上方に延伸し、その上端近傍で再度前方に膨出する弓形をなす。
【００２４】
反力フレーム部１５は、上フレーム要素１４１ａ、１４１ｂの各々を支持する同数の反力フレーム要素１５１ａ、１５１ｂよりなる。反力フレーム要素１５１ａ、１５１ｂの一端部は上フレーム要素１４１ａ、１４１ｂの背面に連接し、他端部は下フレーム要素１３１ａ、１３１ｂの下向面に連接する。反力フレーム要素１５１ａ、１５１ｂは、例えば弾性横架材１４２と同質の樹脂製の弾性体とする。反力フレーム要素１５１ａ、１５１ｂは、側面視下フレーム要素１３１ａ、１３１ｂ及び上フレーム要素１４１ａ、１４１ｂに沿うように延伸して略Ｌ字型をなす。
【００２５】
下フレーム要素１３１ａ、１３１ｂと上フレーム要素１４１ａ、１４１ｂとを互いに枢着するヒンジ１７の周辺、具体的には下フレーム要素１３１ａ、１３１ｂの後端から上端近傍にかけて及び上フレーム要素１４１ａ、１４１ｂの下端近傍の範囲では、側面視フレームの前面が前方に膨出するような湾曲形状をなしている。既に述べたように、上フレーム要素１４１ａ、１４１ｂの上端近傍においても、側面視フレームの前面が前方に膨出するような湾曲形状をなしている。しかして、上記の下フレーム要素１３１ａ、１３１ｂ及び上フレーム要素１４１ａ、１４１ｂの湾曲形状をなす部位に架け渡すように、張り部材１２を張り設けている。
【００２６】
張り部材１２は、屈曲自在な張材たる張地１２１を主体とする。張地１２１は、例えばエラストマ系等の弾性糸を編み込んだ布地で、強度とクッション性とを両備している。なお、本実施形態では、張地１２１に伸縮性が比較的小さな布地を用いている。
【００２７】
張地１２１の上辺及び左右の側辺は、バックアップ材１２２で保形している。図４に示すように、バックアップ材１２２は、左右両側に対をなす縦枠１２２ａ、１２２ｂと両縦枠１２２ａ、１２２ｂを連結する横枠１２２ｃとが正面視三方枠状または四方枠状をなし、前後方向に撓み変形可能な例えば樹脂製の薄板体で、特に張地１２１の左右の側辺が内側方に撓もうとすることを防ぎ、張地１２１を張った状態に保つ。図示例のバックアップ材１２２は、左右両側の縦枠１２２ａ、１２２ｂの上端部同士を横枠１２２ｃを介して相互に連結した正面視略三方枠状をなすものである。このバックアップ材１２２は、請求項中のフレームとして機能する。
【００２８】
バックアップ材１２２の上端部は、背フレーム１１の上端部に支持させる。本実施形態では、バックアップ材１２２の縦枠１２２ａ、１２２ｂの上端部に貫通孔１２２ｘを穿ち、その貫通孔１２２ｘにビスまたはピン等の止着具１９１を挿通して上フレーム要素１４１ａ、１４１ｂの上端部に止着している。一方で、バックアップ材１２２の下端部は、背フレーム１１の下端部に支持させる。本実施形態では、バックアップ材１２２の縦枠１２２ａ、１２２ｂの下端部及び中間よりやや下方の部位にそれぞれ上下方向に延伸する長孔１２２ｙを穿ち、それら長孔１２２ｙにビスまたはピン等の止着具１９２を挿通して各々を下フレーム要素１３１ａ、１３１ｂの下端部及び上端部に止着している。バックアップ材１２２の上端部は上フレーム要素１４１ａ、１４１ｂに対して固定されるが、下端部は下フレーム要素１３１ａ、１３１ｂに対して上下スライド可能となる。
【００２９】
背フレーム１１の上端部とヒンジ１７近傍との間は側面視後方に凹むように湾曲しており、縦枠１２２ａ、１２２ｂの中間部位が後方に撓み変形し得る余地を与えている。背フレーム１１の上辺をなす弾性横架材１４２もまた平面視後方に凹むように湾曲しており、横枠１２２ｃが後方に撓み変形し得る余地を与えている。
【００３０】
張り部材１２の上端部は左右の上フレーム要素１４１ａ、１４１ｂに装着して支持させ、下端部は左右の下フレーム要素１３１ａ、１３１ｂに装着して支持させる。張地１２１を背フレーム１１に架設するに際しては、張地１２１の上縁をバックアップ材１２２の横枠１２２ｃに、張地１２１の左右の側縁をバックアップ材１２２の縦枠１２２ａ、１２２ｂに装着する。具体的には、図４、図５、及び図６に示すように、バックアップ材１２２の周端面、即ち横枠１２２ｃの上端面及び左右の縦枠１２２ａ、１２２ｂの外側端面にそれぞれ凹溝１２２ｚを形成し、凹溝１２２ｚに張地１２１の三方の縁端を嵌め入れて係止する。張地１２１の三方の縁端１２１ｘには、予め、長尺な薄板状をなす例えば樹脂製の縁端材を（縫合、接着、溶着等により）取り付けておく。さらに、張地１２１の下縁を下フレーム部１３の所定部位に固定する。図示例では、張地１２１の下縁にブラケット１２１ｙを取り付けておき、このブラケット１２１ｙを下フレーム部１３の剛性横架材１３２にボルト１９３等を用いて固定している。
【００３１】
総じて言えば、背フレーム１１の前面にバックアップ材１２２を、バックアップ材１２２の前面に張地１２１を配している。このとき、バックアップ材１２２は板ばねの作用を営み、張地１２１を前方に押圧して張り出させる。張地１２１の上端部及び下端部は、それぞれ背フレーム１１の上下端部に対して固定される。張地１２１の上端部はバックアップ材１２２を介して間接的に上フレーム要素１４１ａ、１４１ｂに固定され、張地１２１の下端部はバックアップ材１２２を介さず直接的に下フレーム要素１３１ａ、１３１ｂに固定されている。
【００３２】
しかして本実施形態では、背凭れ１は、前記背フレーム１１、前記張地１２１、及び前記バックアップ材１２２に加え、これら張地１２１とバックアップ材１２２との間に介在し、これら張地１２１とバックアップ材１２２とを離反させることで張地１２１に作用する張力を増大させる張力調整機構たるエアバッグ１８をさらに具備する。
【００３３】
前記エアバッグ１８は、流体たる空気の流出入を受けて収縮及び拡大可能な袋体である。このエアバッグ１８は、着座者からの荷重を受けて変形可能である。また、本実施形態では、前記エアバッグ１８を、前記張地１２１の後面及びバックアップ材１２２の左右の縦枠１２２ａ、１２２ｂの前面に接触させている。さらに本実施形態では、図７に概略的に示すように、このエアバッグ１８は、連通手段たるチューブＴを介して前記座３内部の座エアバッグ３３と連通している。この座エアバッグ３３には、該座エアバッグ３３及び前記エアバッグ１８内部への空気の出し入れを行うべく空気孔３３ｘを設けていて、連通手段たるチューブＴを介して空気ポンプＰと接続している。この空気ポンプＰには、椅子の使用時にはこの空気孔３３ｘから空気が逆流することを防ぐべく、逆止弁を設けている。
【００３４】
張り部材１２の張力を増大させる際には、前記空気ポンプＰを介してエアバッグ１８内部に空気を導入するようにしている。すると、要部の平断端面図を図５に示すように、このエアバッグ１８が膨張して、前記張地１２１と前記バックアップ材１２２とが離間し、張地１２１が対向して配置されているエアバッグ１８の方向に引き伸ばされ、張地１２１の張力が増大する。
【００３５】
逆に、張り部材１２の張力を減少させる際には、前記空気ポンプを介してエアバッグ１８内部から空気を排出するようにしている。すると、要部の平断端面図を図６に示すように、このエアバッグ１８が収縮して、前記張地１２１と前記バックアップ材１２２とが接近し、張り部材１２が自らの弾性により収縮し、張地１２１の張力が減少する。なお、本実施形態では、張地１２１に伸縮性が比較的小さな布地を用いているので、エアバッグ１８の膨張又は収縮に伴うこの張地１２１の張力の変化が着座者により直接的に伝達される。
【００３６】
そして、この椅子Ｃに着座者が着座すると、まず座エアバッグ３３が着座者からの荷重を受け、この座エアバッグ３３から背凭れ１のエアバッグ１８に空気が排出され、張り部材１２の張力が増す。その後、着座者が背凭れ１に荷重をかけると、この背凭れのエアバッグ１８から座エアバッグ３３に空気が排出され、座３の座面が押し上げられる。
【００３７】
以上に述べたように、本実施形態に係る椅子Ｃの背凭れ１は、着座者の身体を支持する支持面を構成する張地１２１と、前記張地１２１が架設されるバックアップ材１２２と、前記張地１２１と前記バックアップ材１２２との間に介在し、これら張地１２１とバックアップ材１２２とを離反させることで張地１２１に作用する張力を増大させるエアバッグ１８とを具備するので、エアバッグ１８による張地１２１とバックアップ材１２２との間の離反幅を変更することにより、張地１２１の張力をきめ細かく調整するようにすることができる。
【００３８】
また、前記エアバッグ１８が、空気の流出入を受けて収縮及び拡大可能な袋体であるので、エアバッグ１８内の空気量を調整することにより、張地１２１とバックアップ材１２２との間の離反幅を自由に変更するよう構成できる。従って、簡単な構成により張地１２１の張力をきめ細かく調整するようにできる。
【００３９】
さらに、前記エアバッグ１８と、座エアバッグ３３とを、これらの内部の圧力が等しくなるようにすべくチューブＴにより連通しているので、このような背凭れ１の張力を、着座者の体重に応じて自動的に適切な値に調整することができる。
【００４０】
また、前記エアバッグ１８に、該エアバッグ１８内に気体を供給する逆止弁付きのポンプＰを接続しているので、このような背凭れ１の張力を、着座者の好みに応じて調整できる。
【００４１】
加えて、前記張地１２１と前記バックアップ材１２２との間にエアバッグ１８を介在させることにより、張地１２１だけでなくこのエアバッグ１８自体によっても着座者にクッション感を与えることができる。
【００４２】
そして、前記張地１２１の端部を前記バックアップ材１２２の両側部に設けた凹溝１２２ｚに係止させることにより架設しているとともに、前記エアバッグ１８を、前記張地１２１の後面及び前記バックアップ材１２２の前面に接触させているので、このような椅子Ｃの背凭れ１の外観を損ねることなくこのようなエアバッグ１８を無理なく配置できる。
【００４３】
なお、本発明は以上に述べた実施態様に限られない。
【００４４】
例えば、上述した実施形態において、背凭れ１は、張材たる張地１２１と、左右の縦枠１２２ａ、１２２ｂの外側端面にそれぞれ凹溝１２２ｚを形成したフレームたるバックアップ材１２２と、張力調整機構かつ袋体たるエアバッグ１８とを具備するが、これら張材１２１、バックアップ材１２２と、及びエアバッグ１８に代えて、図８及び図９に示すように、張材たる張地Ａ１２１と、左右の縦枠Ａ１２２ａ、Ａ１２２ｂの内側端面にそれぞれ凹溝Ａ１２２ｚを形成したフレームたるバックアップ材Ａ１２２と、張力調整機構かつ袋体たるエアバッグＡ１８とを具備する背凭れＡ１を採用してもよい。この背凭れＡ１の張地Ａ１２１は、バックアップ材Ａ１２２の外側端を経てバックアップ材Ａ１２２の後面にも当接させるようにしている。また、この張地Ａ１２１の縁端Ａ１２１ｘは、前記凹溝Ａ１２２ｚに嵌め入れて係止するようにしている。そして、前記左右の縦枠Ａ１２２ａ、Ａ１２２ｂの後面と前記張地Ａ１２１の前面との間にエアバッグＡ１８を配置するようにしてもよい。ここで、前記図８は、エアバッグＡ１８内部に空気を導入した場合の背凭れＡ１の要部の平断端面図である。また、前記図９は、エアバッグＡ１８内部から空気を排出した場合の背凭れＡ１の要部の平断端面図である。
【００４５】
また、エアバッグの配置位置は、張材の内側端とフレームの外側端との間であってもよい。
【００４６】
さらに、上述した実施形態では、バックアップ材（フレーム）の左右の縦枠にそれぞれ接触するエアバッグを計２個設けているが、例えば、バックアップ材（フレーム）の左右の縦枠及び横枠に同時に接触するエアバッグを１個だけ設ける態様も考えられる。また、上述した実施形態ではバックアップ材（フレーム）の左右の縦枠にそれぞれ接触する前記２個のエアバッグと座エアバッグとを接続しているが、座エアバッグを省略してバックアップ材（フレーム）の縦枠に接触するエアバッグのみに気体を導入するようにしてもよく、また、座エアバッグにはバックアップ材（フレーム）の縦枠に接触するエアバッグとは独立に気体の出し入れを行うようにしてもよい。加えて、図１０に示すように、バックアップ材（フレーム１２２）と張り部材（張地１２１）との間に高さ方向に離間させて複数のエアバッグＢ１８を設けるとともに、これらエアバッグＢ１８のそれぞれにチューブＴを介して空気ポンプＰを接続し、これらエアバッグＢ１８のうちの一部のみに対して選択的に気体の出し入れを行えるようにしてもよい。
【００４７】
加えて、図１１に示すように、バックアップ材（フレームＣ１２２）を被覆するように筒状の張地Ｃ１２１を配置してもよい。
【００４８】
そして、エアバッグだけでなく、液体状又はゲル状の流体を内部に有する袋体を利用して張力調整機構を形成してもよく、張材のフレームに当接する部位に気密性及び液密性を有する袋状部を設け、この袋状部内に流体を流出入させてもよい。加えて、ガススプリング等を利用して張力調整機構を形成してももちろんよい。
【００４９】
さらに、上述した実施形態では、張材に伸縮性が比較的小さな布地を用いているが、張力を部分的に変化させても張り部材の伸縮により全体的な歪みを吸収し表面にシワが寄りにくくすべく、伸縮性の大きな布地を採用してもよい。この場合、例えば背凭れの張り部材のうちランバーサポート部分にのみエアバッグを配置して張力を可変とし、別体のランバーサポート部材を省略する態様が考えられる。
【００５０】
加えて、上述した実施形態において、図１２に示すように、座エアバッグを省略し、張地１２１の後方の２つのエアバッグ１８、１８を、連通手段たるチューブＴを介して直接空気ポンプＰと接続してもよい。
【００５１】
一方、本発明は椅子の背凭れだけでなく、座に適用してもよい。
【００５２】
本発明を適用した座を有する椅子の構成の一例を以下に述べる。
【００５３】
この椅子は、図１３及び図１４に示すように、座Ｄ３と、座Ｄ３の後上方に設けた背凭れＤ１とを少なくとも有する。
【００５４】
前記座Ｄ３は、この座Ｄ３の両側端を構成する側枠Ｄ３３１及び前端を構成する前枠Ｄ３３２を有する第１のフレーム要素Ｄ３３、及びこの第１のフレーム要素Ｄ３３の後端に接続してなり座Ｄ３の後端を構成する第２のフレーム要素Ｄ３４を有するフレームＤ３１と、前端部を前記第１のフレーム要素Ｄ３３の前枠Ｄ３３２に巻回して固定しているとともに後端部を前記第２のフレーム要素Ｄ３４に巻回してなる張材Ｄ３２とを具備する。
【００５５】
しかして、座Ｄ３の張材Ｄ３２の一端部、この例では後端部をフレームＤ３１の所定部位、この例では第２のフレーム要素Ｄ３４の後方に巻き付けるようにしているとともに、座Ｄ３の張材Ｄ３２の後端部と第２のフレーム要素Ｄ３４との間に張材取付具Ｄ３５を配し、この座Ｄの張材Ｄ３２の後端部に張材取付具Ｄ３５を前記第２のフレーム要素Ｄ３４の軸心周りに回転可能に取り付けるようにしている。第２のフレームＤ３４要素には径方向、具体的には前方に突出させてエアバッグ取付部Ｄ３４１を設けているとともに、前記張材取付具Ｄ３５には、前記第２のフレーム要素Ｄ３４に取り付けた状態で前記エアバッグ取付部Ｄ３４１の上方となる部位に径方向、具体的には前方に突出させてエアバッグ受けＤ３５１を設けている。そして、これらエアバッグ取付部Ｄ３４１とエアバッグ受けＤ３５１との間に張力調整機構たるエアバッグＤ３６を設けている。このエアバッグＤ３６は、連通手段たるチューブＴを介して空気ポンプＰと接続している。そして、エアバッグＤ３６に気体を導入すると、エアバッグＤ３６が膨張してエアバッグ受けＤ３５１が上方に移動し、このエアバッグ受けＤ３５１の上方への移動に伴い張材取付具Ｄ３５が第２のフレーム要素Ｄ３４の中心周りに回動して座Ｄ３の張材Ｄ３２がより多く第２のフレーム要素Ｄ３４の後方に巻き回される、すなわち座Ｄ３の張材Ｄ３２の張力が増すようにしている。
【００５６】
すなわち、このような構成であっても、エアバッグＤ３６の膨張ないし収縮によりフレームＤ３１のエアバッグ取付部Ｄ３４１と張地取付部材Ｄ３５のエアバッグ受けＤ３５１との間の離反幅を変更することにより、張材Ｄ３２の張力を簡単な操作によりきめ細かく調整するようにすることができる。
【００５７】
もちろん、このようにエアバッグ取付部をフレームに設けるとともに、エアバッグ受け部を有する張材取付具を介して背凭れの張材を背凭れのフレームに取り付け、このエアバッグ取付部とエアバッグ受け部との間にエアバッグを設ける構成を背凭れ側に設けてもよい。
【００５８】
その他、本発明の趣旨を逸脱しない範囲で種々変形が可能である。
【図面の簡単な説明】
【００５９】
【図１】本発明の一実施形態に係る椅子を正面側から見た斜視図。
【図２】同実施形態に係る椅子を背面側から見た斜視図。
【図３】同実施形態に係る椅子の側面図。
【図４】同実施形態に係る椅子の背凭れを示す要部分解斜視図。
【図５】同実施形態に係る椅子の背凭れの取着態様を示す要部平断端面図。
【図６】同実施形態に係る椅子の背凭れの取着態様を示す要部平断端面図。
【図７】同実施形態に係る椅子のエアバッグ、ポンプ、及びこれらの間の接続態様を模式的に示す図。
【図８】本発明の他の実施態様に係る椅子の背凭れの取着態様を示す要部平断端面図。
【図９】同実施形態に係る椅子の背凭れの取着態様を示す要部平断端面図。
【図１０】本発明の他の実施態様に係る椅子のエアバッグの取付態様を模式的に示す図。
【図１１】本発明の他の実施態様に係る椅子の背凭れの取着態様を示す要部平断端面図。
【図１２】本発明の他の実施態様に係る椅子のエアバッグ、ポンプ、及びこれらの間の接続態様を模式的に示す図。
【図１３】本発明の他の実施態様に係る椅子の座の要部を示す斜視図。
【図１４】本発明の他の実施態様に係る椅子の座の取着態様を示す要部側断端面図。
【符号の説明】
【００６０】
１、Ａ１…背凭れ
１２１、Ａ１２１…張地（張材）
１２２、Ａ１２２…バックアップ部材（フレーム）
１８、Ａ１８…エアバッグ（張力調整機構）
Ｓ…背凭れ面
【図１】
0005217340.tif 000002
【図２】
0005217340.tif 000003
【図３】
0005217340.tif 000004
【図４】
0005217340.tif 000005
【図５】
0005217340.tif 000006
【図６】
0005217340.tif 000007
【図７】
0005217340.tif 000008
【図８】
0005217340.tif 000009
【図９】
0005217340.tif 000010
【図１０】
0005217340.tif 000011
【図１１】
0005217340.tif 000012
【図１２】
0005217340.tif 000013
【図１３】
0005217340.tif 000014
【図１４】
0005217340.tif 000015